(57)【要約】【課題】複数の搬送方法で移動でき、小動物へのストレスを軽減することができる輸送用ケージカバーを提供する。【解決手段】本発明の輸送用ケージカバー１は、可撓性シートからなって小動物を運搬するケージ２の全面を覆う本体部３と、着脱可能な肩掛けバンド４と、複数の把持用バンド５とを有する。把持用バンド５を使用するときには、一人でこの把持用バンド５を持って移動することができ、また、複数の把持用バンド５を複数人でそれぞれ把持することにより、ケージ２の水平状態を保持したまま、輸送用ケージ２を持ち上げて運ぶことができる。【選択図】　　　　　図１
2004067213.tif 000002
【特許請求の範囲】
【請求項１】
可撓性シートからなって、小動物を運搬するケージの全面を覆う本体部と、着脱可能な肩掛けバンドと、複数の把持用バンドとを有することを特徴とする小動物輸送用ケージカバー。
【請求項２】
前記本体部の後部には、保持部が設けられていることを特徴とする請求項１に記載の小動物輸送用ケージカバー。
【請求項３】
前記把持用バンドは、前記本体部の両側部にそれぞれ設けられていることを特徴とする請求項１または２に記載の小動物輸送用ケージカバー。
【請求項４】
前記可撓性シートは防水性を有し、前記本体部の両側部には、可撓性の網状窓部が形成されていることを特徴とする請求項１から３のいずれかの項に記載の小動物輸送用ケージカバー。
【請求項５】
前記可撓性シートには、マイナスイオン発生物質が含有されていることを特徴とする請求項１から４のいずれかの項に記載の小動物輸送用ケージカバー。
【請求項６】
本体部の前部および上部は、下部および両側部に着脱可能に接続されていることを特徴とする請求項１から５のいずれかの項に記載の小動物輸送用ケージカバー。
【請求項７】
前記本体部には、上、下および両側部を囲んで締結可能な２以上の固定バンドが設けられていることを特徴とする請求項１から６のいずれかの項に記載の小動物輸送用ケージカバー。
【請求項８】
前記可撓性シートは、光反射性を有することを特徴とする請求項１から７のいずれかの項に記載の小動物輸送用ケージカバー。
【発明の詳細な説明】
【０００１】
【発明の属する技術分野】
本発明は、犬や猫等の小動物の運搬時に使用する小動物輸送用ケージカバーに関する。
【０００２】
【従来の技術】
従来、犬や猫等の小動物を運搬するときには、専用の輸送用ケージが用いられている。
図５は、従来の輸送用ケージの斜視図である。図５に示すように、輸送用ケージ７０は、直方体状のプラスチックケース７１の前面に金網からなる出入口７２を設け、側面と後面の上部に金網からなる窓部７３を形成している。
また、上面の中央部には、持ち運び用の取っ手７４が設けられている。なお、上面の裏側に伸縮するハンドルを内蔵したものも使用されている。
【０００３】
これらの輸送用ケージは、室内または屋外用のハウスとして兼用されることもある。小動物は、通常は、この輸送用ケージ７０内で就寝し、餌を与えられる。また、旅行等を行う場合には、飼い主が取っ手７４を把持して輸送用ケージ７０を持ち上げ、運搬している。
【０００４】
【発明が解決しようとする課題】
しかしながら、これらの輸送用ケージ７０は、他の荷物とともに運びたい場合でも、持ち運びのために片手を空けておく必要があり、非常に不便である。また、輸送用ケージ７０を片手で持つと、輸送用ケージ７０の一側面が運搬者の腰部や脚部に当たり、輸送用ケージ７０が斜めに保持されたり揺動したりして、中の小動物へストレスを与えるという問題がある。
輸送用ケージの中には肩掛けベルトを取り付けることができるものもあるが、輸送用ケージにベルト取り付け部や取っ手を取り付けると、清掃が困難になるという問題がある。
【０００５】
また、金網には、目が粗いものが用いられているので、風が強い日に輸送用ケージを運搬する場合は、金網から風が入り、また、屋外の移動中は虫等が侵入することにより小動物に与えるストレスが大きくなる。
また、屋外の移動中は外気温の影響を直接受けるため、夏は暑く、冬は寒くなり、小動物へのストレスがさらに大きくなる。
【０００６】
そこで本発明が解決しようとする課題は、複数の運搬方法で運搬でき、小動物へのストレスを軽減することができる小動物輸送用ケージカバーを提供することにある。
【０００７】
【課題を解決するための手段】
前記課題を解決するため、本発明の小動物輸送用ケージカバーは、可撓性シートからなって小動物を運搬するケージの全面を覆う本体部と、着脱可能な肩掛けバンドと、複数の把持用バンドとを有することを特徴とする。
小動物輸送用ケージカバーは、通常はケージから外しておき、折り畳みまたは丸めた状態で収納しておき、使用時に、ケージの全面を覆って取り付けることができる。
【０００８】
肩掛けバンドを使用するときには、小動物輸送用ケージカバーにこの肩掛けバンドの両端部を取り付け、中間部を肩に掛けるので、両手が空き、輸送用ケージを運びながら他の作業を行ったり、他の荷物を運んだりすることができる。
【０００９】
把持用バンドを使用するときには、一人でこの把持用バンドを持って運搬することができ、また、複数の把持用バンドを複数人でそれぞれ把持することにより、ケージの水平状態を保持したまま、輸送用ケージを持ち上げて運搬することができる。
【００１０】
前記本体部の後部に、保持部を設けることが好ましい。肩掛けバンドを用いたときには、本体部を２点で支持することになるが、保持部を持つことにより３点で支持することができ、ケージの揺動を防止することができる。
【００１１】
前記把持用バンドを、前記本体部の両側部にそれぞれ設けることが好ましい。かかる構成によって、把持用バンドを、両側から２人で持ったときの支持部の幅が広くなるので、安定して支持することができ、輸送用ケージの揺れが少なくなるので、運搬される小動物が酔うことが少なくなる。
【００１２】
前記可撓性シートに防水性を設け、前記本体部の前記本体部の両側部に、可撓性の網状窓部を形成することが好ましい。防水性を有しているので、小動物が濡れることが防止できる。また、網状窓部を有しているので、通気性を向上させることができる。
防水性は、例えば、可撓性シートの表面にフッ素コート樹脂を塗布することにより付与することができる。また、防水性には撥水性を有するものも含む。すなわち、透湿性を有するシートに、撥水性を有する被膜を設けることにより、外部からの雨等の水滴を弾き、内部の小動物から発生する水蒸気等の湿気を外側に逃がす構造にすることも可能である。
【００１３】
前記可撓性シートに、マイナスイオン発生物質を含有させることも可能である。マイナスイオン発生物質とは、トルマリン（石英斑岩）等に代表されるケイ素、シリカなどのセラミックをいう。
ここで、含有とは、可撓性シート内にマイナスイオン発生物質を直接浸透させることの他、予めマイナスイオン発生物質を含有するシートを可撓性シートに縫合または貼着することも含まれる。
小動物輸送用ケージカバーに覆われたケージの運搬時に、可撓性シートが摩擦を受け、また、屈曲することにより内部のマイナスイオン発生物質からマイナスイオンが発生するので、ケージ内のプラスイオンを中和することができる。
【００１４】
本体部の前部および上部を、下部および両側部に着脱可能に接続することが好ましい。接続には、例えば、ボタンやファスナ等を用いることができる。かかる構成によって、ケージは、小動物輸送用ケージカバーの本体部の前部および上部を開いた状態で、収納される。
前部および上部が開いているので、ケージを少し持ち上げるだけで前側から挿入でき、また、両側部の前側上角部を両側に開くことができるので、ケージの挿入時の抵抗が少なくなる。
【００１５】
前記本体部に、上、下および両側部を囲んで締結可能な２以上の固定バンドを設けることが好ましい。固定バンドを締結することにより、小動物輸送用ケージカバーがケージに一体的に固定されるので、運搬時のケージの揺れが少なくなり、内部の小動物が酔いにくくなる。
【００１６】
可撓性シートに、光反射性を設けることも可能である。光反射性を付与することにより、夏の直射日光を反射して内部の温度上昇を防止できる。光反射性は、例えば、可撓性シートの表面に金属色の塗料を塗布したり、アルミニウム等の金属を蒸着することにより付与することができる。
【００１７】
【発明の実施の形態】
以下、本発明の実施の形態について説明する。
図１は本発明の小動物輸送用ケージカバーの斜視図である。図１に示すように、本発明の小動物輸送用ケージカバー１は、可撓性シートからなって、小動物を運搬するケージ２の全面を覆う本体部３と、着脱可能な肩掛けバンド４（図３参照）と、複数の把持用バンド５とを有している。なお、肩掛けバンド４は、通常は、側面に設けられたポケット２０内に収納されている。
【００１８】
ケージ２は、直方体状に形成され、両側面の中央部が少し膨らんだ形状に形成されている。
【００１９】
第１の可撓性シートは、本体部３の上部６，下部７および両側下部８に設けられ、防水性を有するポリエステル等の可撓性プラスチック素材の繊維品を加工したもので、銀色の塗料を塗布することにより光反射性を付与した素材で構成されている。第１の可撓性シートを上部６に設けることにより直射日光を反射してケージ２内の温度上昇が防止され、また、下部７に設けることにより下方からの浸水が防止される。
【００２０】
本体部３の両側上部９には、可撓性の網状窓部１０，１１が横方向に隣接してそれぞれ設けられている。また、両側上部９の網状窓部１０，１１の周囲は、撥水性を有するポリエステル等の可撓性プラスチック素材の繊維品を加工したもので、多数の小孔を形成して通気性を付与した網状の第２の可撓性シートで形成されている。
【００２１】
第１の可撓性シートからなる下部７の内側面には、マイナスイオン発生物質を含有したシート（図示せず）が縫合されており、小動物輸送用ケージカバー１の使用時に加わる摩擦力等により、マイナスイオンを発生する。
【００２２】
本体部３の前部１２および後部１３も前記網状素材からなり、上下に網状窓部１４，１５をそれぞれ備えている。
前部１２および後部１３の各網状窓部１４，１５の直上部には、可撓性の環状保持部１６が開口部を側方に向けてそれぞれ３つずつ設けられている。この環状保持部１６には、アルミニウムや木製の掛止用棒材１７を挿して保持することができ、この掛止用棒材１７には、携帯用扇風機（図示せず）等を吊り下げて、網状窓部１４，１５から内側に送風を行うことができる。
なお、前部１２とケージ２の前面との間には少しの隙間が形成されており、携帯用扇風機をケージ２の前面に直接取り付けることも可能である。
【００２３】
各網状窓部１０，１１，１４，１５は、例えば１８メッシュ以上のものが使用され、外部からの虫等の侵入を防止している。ここで、メッシュとは、１インチ四方に縦と横に何本ずつの糸が織り込まれているのかを表し、数値が大きいほど網目が細かくなることを示す。網の縦横の交叉部は固定されており、ピッチがずれることが防止されている。また、網状窓部１０，１１，１４，１５は、可撓性があり、また、可撓性シートに固定されているので、ケージ２内の小動物の爪等が当たっても外側に逃げて、破損を防止することができる。
【００２４】
後部１３の上端部には、紐状の保持部１８の両端部が固定されている。保持部１８は、その中間部を片手で把持できるように形成されている。
【００２５】
把持用バンド５は、本体部３の両側下部８に両端部をそれぞれ固定され、また、把持用バンド５の両端部は、本体部３の下部７を介して、反対側の把持用バンド５の両端部に接続されている。
また、両側下部８の把持用バンド５の両端部の間には、小物を収納可能なポケット２０がそれぞれ設けられている。また、把持用バンド５の両端部には、肩掛けバンド４を掛合可能な金属製の肩掛けバンド用フック部２５，２６が設けられている。
【００２６】
本体部３の両側上部９の前側には、フック部２１が設けられている。
図２（Ａ）は、フック部の掛止時の状態を示す説明図、（Ｂ）はフック部の解放時の状態を示す説明図である。図２（Ａ）、（Ｂ）に示すように、フック部２１は、両端部を横方向に配置して両側上部９にそれぞれ縫いつけられた横掛止部２２と、横掛止部２２の上部に一端部を固定し、この一端部および他端部を掛合手段の一例であるボタン２３により掛合して輪状に形成可能な縦掛止部２４とを有している。フック部２１が横掛止部２２と縦掛止部２４とを有しているので、裏側の補強を１カ所にまとめて配置することができる。
【００２７】
図２（Ａ）に示すように、縦掛止部２４のボタン２３を掛合して輪状に形成すると、縦掛止部２４にキーホルダー２４ａ等を介して携帯電話等を吊り下げておくことができる。縦掛止部２４は、横掛止部２２の中間部を輪の内側に配置して固定している。これは、輪状に形成された縦掛止部２４が、運搬中に周囲の障害物に引っ掛からないようにするためである。
【００２８】
また、図２（Ｂ）に縦掛止部２４のボタンを解放した状態では、横掛止部２２に、小動物用の飲料水等を、逆Ｖ字状のフック２４ｂを備えたジュースホルダを介して取り付けておくことができる。
【００２９】
図３は、肩掛けバンド４の使用状態を示す説明図である。図３に示すように、肩掛けバンド４は、通常は、ポケット２０等に収納しておくことができる。肩掛けバンド４の使用時には、肩掛けバンド４の両端部を、両側下部８の肩掛けバンド用フック部２５，２６のうち左右の一カ所ずつに固定し、肩掛けバンド４の中間部を肩に掛けて小動物輸送用ケージカバー１をケージ２ごと持ち上げることができる。このとき、後部１３に設けられた保持部１８を片手で把持することにより、ケージ２の揺動を防止し、内部の小動物に揺れによるストレスを与えることが防止される。なお、肩掛けバンド４を２本用意して、両側下部８の肩掛けバンド用フック部２５，２６のうち左右の２カ所ずつに固定することにより、ケージ２を、左右の両側から２人で持ち上げることができる。
【００３０】
図４は、把持用バンド５の使用状態を示す説明図である。図４に示すように、両側の把持用バンド５の中間部は、上方に伸ばしたときに、両側上部９の上端付近に配置されるように形成されている。
本体部３には把持用バンド５の両端部がそれぞれ取り付けられているので、両側の把持用バンド５を両側から２人で持ち上げると、ケージ２は、両側の２カ所ずつでそれぞれ支持されることになり、安定して運搬することができる。
【００３１】
両側上部９の網状窓部１０，１１、前部１２の網状窓部１４および後部１３の網状窓部１５の周囲には、掛合手段の一例であるボタン（図示せず）が設けられており、このボタンには、網状窓部１０，１１，１４，１５を覆う矩形の目隠し部材（図示せず）を着脱可能に設けることができる。目隠し部材は、例えば、第１の可撓性シートと同じ素材にして温度上昇を防止することができ、また、第２の可撓性シートと同じ素材にして通気性を高めることができる。目隠し部材を設けることにより小動物に外観を見せないようにして、また、風や直射日光を遮ることにより、小動物に与えるストレスを軽減することができる。
【００３２】
把持用バンド５は、ケージ２の高さ方向の中央付近の両側に膨らんだ部分に両端部を取り付けているので、ケージ２を持ち上げるときには、把持用バンド５をそれぞれ少し両側に引っ張った状態で持ち上げることができ、持ち上げた人の脚部がケージ２の両側部に当たることが防止され、内部の小動物に与えるストレスが軽減される。
【００３３】
本体部３の上部６および前部１２は、下部７および両側部に着脱可能に接続されている。すなわち、上部６の両側端、前部１２の両側端および前部１２の下端は、下部７および両側部に２本のファスナ２７により接続されている。かかる構成によって、運搬中においても、前部１２のみを開いてケージ２前面の扉を開き小動物を出し入れすることができ、また、上部６および前部１２を開いて、ケージ２を小動物輸送用ケージカバー１から取り出すことができる。
【００３４】
本体部３には、上、下および両側部を囲んで着脱可能に締結することができる２本の固定バンド２８，２９が設けられている。固定バンド２８，２９は、下部７および両側下部８に中間部を縫いつけられており、両端部を上部６で締結する。小動物輸送用ケージカバー１は、固定バンド２８，２９によって、ケージ２の前後の２カ所に締結固定されてケージ２と一体的に固定される。この状態で、小動物輸送用ケージカバー１を持ち上げると、小動物輸送用ケージカバー１の内部でケージ２が移動することがなくなり、ケージ２内の小動物に揺動によるストレスを与えることが防止される。
【００３５】
【発明の効果】
本発明によれば次の効果を奏する。
（１）本発明の小動物輸送用ケージカバーは、可撓性シートからなって小動物を運搬するケージの全面を覆う本体部と、着脱可能な肩掛けバンドと、複数の把持用バンドとを有するので、肩掛けバンドを肩に掛けたり把持用バンドを手で持ったりすることができるので、複数の運搬方法を選択でき、小動物へのストレスを軽減することができる。また、可撓性シートを用いるので、折り畳みまたは丸めた状態で収納することができる。
（２）本体部の後部に、保持部を設けると、本体部を３点で支持することができ、ケージの揺動を防止して小動物に与えるストレスを軽減することができる。
（３）把持用バンドを、本体部の両側部にそれぞれ設けると、把持用バンドを、両側から２人で持ったときの支持部の幅が広くなるので、安定して支持することができ、輸送用ケージの揺れが少なくなるので、運搬される小動物が酔うことが少なくなる。
（４）可撓性シートに光反射性と防水性を設け、本体部の前記本体部の両側部に、可撓性の網状窓部を形成すると、夏の直射日光を反射して内部の温度上昇を防止でき、また、小動物が濡れることが防止でき、また、通気性を向上させることができるので、ケージ内の環境の変化を防止して、小動物へのストレスを軽減することができる。
（５）可撓性シートに、マイナスイオン発生物質を含有させると、小動物輸送用ケージカバーに覆われたケージの運搬時にマイナスイオンが発生するので、周囲のプラスイオンを中和して、小動物へのストレスを軽減することができる。
（６）本体部の前部および上部を、下部および両側部に着脱可能に接続すると、ケージを少し持ち上げるだけで前側から挿入でき、また、両側部の前側上角部を両側に開くことができるので、ケージの挿入時の抵抗が少なくなり、取り扱いを簡便にすることができる。
（７）本体部に、上、下および両側部を囲んで締結可能な２以上の固定バンドを設けると、小動物輸送用ケージカバーがケージに一体的に固定されるので、運搬時のケージの揺れが少なくなり、内部の小動物が酔いにくくなる。
【図面の簡単な説明】
【図１】本発明の小動物輸送用ケージカバーの斜視図である。
【図２】（Ａ）は、フック部の掛止時の状態を示す説明図、（Ｂ）はフック部の解放時の状態を示す説明図である。
【図３】肩掛けバンドの使用状態を示す説明図である。
【図４】把持用バンドの使用状態を示す説明図である。
【図５】従来の輸送用ケージの斜視図である。
【符号の説明】
１　小動物輸送用ケージカバー
２　ケージ
３　本体部
４　肩掛けバンド
５　把持用バンド
６　上部
７　下部
８　両側下部
９　両側上部
１０，１１　網状窓部
１２　前部
１３　後部
１４，１５　網状窓部
１６　環状保持部
１７　掛止用棒材
１８　保持部
２０　ポケット
２１　フック部
２２　横掛止部
２３　ボタン
２４　縦掛止部
２５，２６　肩掛けバンド用フック部
２７　ファスナ
２８，２９　固定バンド
【図１】
2004067213.tif 000003
【図２】
2004067213.tif 000004
【図３】
2004067213.tif 000005
【図４】
2004067213.tif 000006
【図５】
2004067213.tif 000007